(57)【要約】【課題】安価なコストで自動電圧調整器の電源側と負荷側との電圧の監視を自動的に行うことができる自動電圧調整器の電圧監視システムを提供する。【解決手段】ＳＶＲ１と、遠制開閉器３と、両電源トランス６と、遠制子局５とを有する自動電圧調整器の電圧監視システムにおいて、両電源トランス６の一方にはＳＶＲ１の電源側の電圧が印加されるように構成し、遠制子局５を介してＳＶＲ１の電源側と負荷側との電圧をそれぞれ表す信号を監視所４に送出するように構成した。【選択図】図１
2007325437.tif 000002
【特許請求の範囲】
【請求項１】
配電線路に配設されこの配電線路における電圧降下を補償するよう電圧を調整する自動電圧調整器と、この自動電圧調整器の負荷側に配設されて遠方の監視所からの開閉指令により配電線路を開閉する遠制開閉器と、この遠制開閉器の入力側と出力側にそれぞれ接続されて前記入力側と前記出力側との電圧を表す信号をそれぞれ送出する両電源トランスと、前記監視所から送出された前記開閉指令により前記遠制開閉器の開閉制御を行うとともに前記電圧を表す信号を前記監視所に送出する遠制子局とを有する自動電圧調整器の電圧監視システムにおいて、
前記両電源トランスの一方には前記自動電圧調整器の電源側の電圧が印加されるように構成し、前記遠制子局を介して前記自動電圧調整器の電源側と負荷側との電圧をそれぞれ表す信号を前記監視所に送出するように構成したことを特徴とする自動電圧調整器の電圧監視システム。
【請求項２】
配電線路に配設されこの配電線路における電圧降下を補償するよう電圧を調整する自動電圧調整器と、この自動電圧調整器の負荷側に配設されて遠方の監視所からの開閉指令により配電線路を開閉する遠制開閉器と、この遠制開閉器の入力側と出力側にそれぞれ接続されて前記入力側と前記出力側との電圧を表す信号をそれぞれ送出する両電源トランスと、前記監視所から送出された前記開閉指令により前記遠制開閉器の開閉制御を行うとともに前記電圧を表す信号を前記監視所に送出する遠制子局とを有する自動電圧調整器の電圧監視システムにおいて、
前記電圧調整器の電源側の電圧に基づく電圧が印加されている第１の電圧線と、前記遠制開閉器の入力側の電圧が印加されている前記両電源トランスの一方の電圧線である第２の電圧線とを有する一方、遠制子局は前記遠制開閉器の開閉を表す状態信号に基づき閉状態である場合にはスイッチ手段を介して前記第１の電圧線を選択してその電圧を表す信号を、また開状態である場合にはスイッチ手段を介して前記第２の電圧線を選択してその電圧を表す信号をそれぞれ前記監視所に送出するように構成したことを特徴とする自動電圧調整器の電圧監視システム。
【請求項３】
請求項１又は請求項２に記載する自動電圧調整器の電圧監視システムにおいて、
前記遠制子局は，前記監視所との間に敷設した通信線を利用して必要な情報の授受を行うＣＴＣ（Ｃｏｍｍｏｎ  Ｔｅｌｅｃｏｎｔｒｏｌ）方式の子局であることを特徴とする自動電圧調整器の電圧監視システム。
【請求項４】
請求項２に記載する自動電圧調整器の電圧監視システムにおいて、
前記第１の電圧線と前記第２の電圧線との選択の切換は、前記遠制開閉器の入切信号線の信号を利用するものであることを特徴とする自動電圧調整器の電圧監視システム。
【請求項５】
請求項２に記載する自動電圧調整器の電圧監視システムにおいて、
前記第１の電圧線は前記自動電圧調整器の電源側の電圧を検出するＰＴに接続したものであることを特徴とする自動電圧調整器の電圧監視システム。
【発明の詳細な説明】
【技術分野】
【０００１】
本発明は自動電圧調整器の電圧監視システムに関し、特にＳＶＲ（Ｓｔｅｐ  Ｖｏｌｔａｇｅ  Ｒｅｇｕｌａｔｏｒ）と呼称される自動電圧調整器の電源側及び負荷側の電圧を監視する場合に適用して有用なものである。
【背景技術】
【０００２】
配電線路は電源からの距離に応じた電圧降下を生じる。このため、配電線路には所定の距離毎に前記電圧降下を自動的に補償するためのＳＶＲを設置している。このＳＶＲは複数のタップを有する昇圧トランスであり、昇圧する電圧に応じてタップを自動的に切換えることにより配電線路の電圧を所定の範囲内に維持するように補償する。
【０００３】
ところで、かかる配電線路においてはその負荷側の条件が変更された場合等、電圧管理上当該ＳＶＲの動作状況を調査する必要が発生する場合がある。この場合、従来では作業員が現地に赴きＳＶＲの１次側ＰＴと２次側ＰＴとに記録電圧計を取り付け、この記録電圧計を介して必要な電圧の監視を行っていた。
【０００４】
この結果、ＳＶＲの所定の電圧監視作業は、面倒で手間のかかる作業となっていた。ちなみに、前記電圧監視作業に関しては記録電圧計の取り付けと、取り外しに際し、２度現地に赴く必要がある。
【０００５】
一方、配電線路には、一般に開閉器が配設してあり当該配電線路の工事等の際に必要に応じ開閉している。近年、この開閉器を遠制開閉器で構成して、その開閉動作を遠方の監視所等から遠隔操作により行う配電遠制システムが提案されており、その一種としてＣＴＣ（Ｃｏｍｍｏｎ  Ｔｅｌｅｃｏｎｔｒｏｌ）方式がある。これは、遠制開閉器に対応させてその近傍に遠制子局をそれぞれ設け、この遠制子局と遠方の監視所との間で必要な情報の授受を行うことにより遠制開閉器の必要な制御を行うものである。ここで、ＣＴＣ方式における制御項目の中に遠制開閉器の入力側と出力側との電圧を検出し、この情報を前記監視所に送出するという機能がある。
【０００６】
このため、ＣＴＣ方式においては、１次側が遠制開閉器の入力側と出力側とにそれぞれ接続された両電源トランスを有しており、この両電源トランスの２次側を介して遠制開閉器の入力側と出力側との電圧情報を遠制子局に取り込むようになっている。
【０００７】
そこで、かかる遠制開閉器の電圧監視機能を利用すればＳＶＲの負荷側の電圧を遠方監視することができる。ところが、この場合監視可能なのはＳＶＲの負荷側電圧に関してのみである。すなわち、同様にＳＶＲの電源側電圧の監視も行うためには１次側の開閉器も遠制開閉器とする必要があるが、これには多大な設備投資費用が発生する。
【０００８】
なお、この種の公知技術として高圧自動電圧調整器の稼働状況記録方法及び記録装置（特許文献１参照）がある。
【０００９】
【特許文献１】特開平０８−２０３７５６号公報
【発明の開示】
【発明が解決しようとする課題】
【００１０】
本発明は、上記従来技術に鑑み、安価なコストで自動電圧調整器の電源側と負荷側との電圧の監視を自動的に行うことができる自動電圧調整器の電圧監視システムを提供することを目的とする。
【課題を解決するための手段】
【００１１】
上記目的を達成する本発明の第１の態様は、
配電線路に配設されこの配電線路における電圧降下を補償するよう電圧を調整する自動電圧調整器と、この自動電圧調整器の負荷側に配設されて遠方の監視所からの開閉指令により配電線路を開閉する遠制開閉器と、この遠制開閉器の入力側と出力側にそれぞれ接続されて前記入力側と前記出力側との電圧を表す信号をそれぞれ送出する両電源トランスと、前記監視所から送出された前記開閉指令により前記遠制開閉器の開閉制御を行うとともに前記電圧を表す信号を前記監視所に送出する遠制子局とを有する自動電圧調整器の電圧監視システムにおいて、
前記両電源トランスの一方には前記自動電圧調整器の電源側の電圧が印加されるように構成し、前記遠制子局を介して前記自動電圧調整器の電源側と負荷側との電圧をそれぞれ表す信号を前記監視所に送出するように構成したことを特徴とする自動電圧調整器の電圧監視システムである。
【００１２】
本発明の第２の態様は、
配電線路に配設されこの配電線路における電圧降下を補償するよう電圧を調整する自動電圧調整器と、この自動電圧調整器の負荷側に配設されて遠方の監視所からの開閉指令により配電線路を開閉する遠制開閉器と、この遠制開閉器の入力側と出力側にそれぞれ接続されて前記入力側と前記出力側との電圧を表す信号をそれぞれ送出する両電源トランスと、前記監視所から送出された前記開閉指令により前記遠制開閉器の開閉制御を行うとともに前記電圧を表す信号を前記監視所に送出する遠制子局とを有する自動電圧調整器の電圧監視システムにおいて、
前記電圧調整器の電源側の電圧に基づく電圧が印加されている第１の電圧線と、前記遠制開閉器の入力側の電圧が印加されている前記両電源トランスの一方の電圧線である第２の電圧線とを有する一方、遠制子局は前記遠制開閉器の開閉を表す状態信号に基づき閉状態である場合にはスイッチ手段を介して前記第１の電圧線を選択してその電圧を表す信号を、また開状態である場合にはスイッチ手段を介して前記第２の電圧線を選択してその電圧を表す信号をそれぞれ前記監視所に送出するように構成したことを特徴とする自動電圧調整器の電圧監視システムである。
【００１３】
本発明の第３の態様は、
上記第１乃至第２の態様に記載する自動電圧調整器の電圧監視システムにおいて、
前記遠制子局は，前記監視所との間に敷設した通信線を利用して必要な情報の授受を行うＣＴＣ（Ｃｏｍｍｏｎ  Ｔｅｌｅｃｏｎｔｒｏｌ）方式の子局であることを特徴とする自動電圧調整器の電圧監視システムである。
【００１４】
本発明の第４の態様は、
上記第２の態様に記載する自動電圧調整器の電圧監視システムにおいて、
前記第１の電圧線と前記第２の電圧線との選択の切換は、前記遠制開閉器の入切信号線の信号を利用するものであることを特徴とする自動電圧調整器の電圧監視システムである。
【００１５】
本発明の第５の態様は、
上記第２の態様に記載する自動電圧調整器の電圧監視システムにおいて、
前記第１の電圧線は前記自動電圧調整器の電源側の電圧を検出するＰＴに接続したものであることを特徴とする自動電圧調整器の電圧監視システムである。
【発明の効果】
【００１６】
上記本発明によれば、遠制開閉器に関連する電圧監視機能を利用して自動電圧調整器の電源側と負荷側との電圧の監視を遠制子局を介して遠方の監視所で自動的に行うことができる。すなわち、作業員が自動電圧調整器の設置場所まで一々出かけて行って自動電圧調整器の一次側と二次側とに記録電圧計を取り付ける等の面倒な作業を必要とすることなく、必要な電圧情報を良好且つ容易に得ることができる。
【００１７】
この結果、安価なコストで自動電圧調整器の電源側と負荷側との電圧の監視を自動的に行うことができる。
【発明を実施するための最良の形態】
【００１８】
以下本発明の実施の形態を図面に基づき詳細に説明する。
【００１９】
＜第１の実施の形態＞
図１は本実施の形態に係る自動電圧調整器の電圧監視システムを示すブロック線図である。自動電圧調整装置（以下、「ＳＶＲ」と称す。）１は配電線路２の途中に配設されてその電圧降下を補償するものである。遠制開閉器３はＳＶＲ１の負荷側に接続してあり、遠方の監視所４から送出される制御信号に基づき遠制子局５を介して開閉制御される。
【００２０】
従来技術においては、前記遠制開閉器３の１次側及び２次側の電圧情報は遠制子局５を介して監視所４に送出されこの監視所４で常時監視されていた。このため、１次側が遠制開閉器３の入力側と出力側とにそれぞれ接続された両電源トランス６を有しており、この両電源トランス６の２次側を介して遠制開閉器３の入力側と出力側との電圧情報を遠制子局５にそれぞれ取り込むようになっていた。
【００２１】
これに対し、本形態においては、両電源トランス６の１次側の一方（遠制開閉器３の入力側）がＳＶＲ１の電源側に接続してある。すなわち、本形態における両電源トランス６の１次側はＳＶＲ１の電源側と遠制開閉器３の出力側にそれぞれ接続してある。ここで、遠制開閉器３の出力側の電圧はこの遠制開閉器３が閉状態の時にはＳＶＲ１の負荷側の電圧を表すことになる。すなわち、遠制開閉器３が閉状態である場合には、両電源トランス６の２次側を介して遠制子局５にＳＶＲ１の電源側と負荷側との電圧情報をそれぞれ取り込むことができる。
【００２２】
かくして、本形態における監視所４には遠制子局５を介してＳＶＲ１の電源側と負荷側との電圧情報が伝送される。
【００２３】
図２は遠制子局５の詳細を示すブロック図である。同図に示すように、遠制子局５は制御装置部５ａと子局部５ｂからなる。ここで、制御装置部５ａはその端子ＡＢ間に両電源トランス６を介したＳＶＲ１の電源側の電圧が印加される端子ＡＢと、同様に両電源トランス６を介したＳＶＲ１の負荷側の電圧が印加される端子ＤＢとを有しており、両端子ＡＢ及びＤＢ間の電圧を検出してこれらを表す信号を子局部５ｂを介して監視所４に向けて送出する。一方、子局部５ｂはパレット線９を介して遠制開閉器３の状態を監視所４へ送出するとともに、監視所４から送出された制御信号を制御装置部５ａを介して遠制開閉器３に伝送し、この遠制開閉器３の開閉を制御する。
【００２４】
上述の通り、本形態における監視所４では、遠制子局５を介して伝送されてくるＳＶＲ１の電源側及び負荷側の電圧情報を自動的に監視することができる。すなわち、電圧管理上必要な電圧情報を既存の技術の応用によって全く設備に投資することなく、遠方で連続的に監視し得る。
【００２５】
図３は配電線路の各位置における電圧を示すとともに、本形態におけるＳＶＲの電源側と負荷側との電圧の監視態様を従来との対応において示す説明図である。同図はＳＶＲ１の負荷側に遠制開閉器３を含むＣＴＣ方式を適用した場合にはＳＶＲ１の負荷側の電圧のみしか監視できないのに対し、本形態によればＳＶＲ１の電源側及び負荷側の電圧を監視し得ることを示している。
【００２６】
なお、図１中、７、８は手動開閉器である。手動開閉器７は、通常開状態、手動開閉器８は通常閉状態となっている。また、遠制開閉器３、両電源トランス６、遠制子局５及び監視所４は、例えばＣＴＣ方式のものを好適に利用し得る。
【００２７】
＜第２の実施の形態＞
図４は本実施の形態に係る自動電圧調整器の電圧監視システムを示すブロック線図である。同図に示すように、本形態に係る自動電圧調整器の電圧監視システムも第１の実施の形態と同様の配電線路２に適用されるものである。そこで、第１の実施の形態と同一部分には同一番号を付し、重複する説明は省略する。
【００２８】
図４に示すように、電圧監視用アダプタ１０は両電源トランス６と遠制子局５との間に配設してあり、遠制開閉器３が閉状態であるときには、ＳＶＲ１の電源側の電圧情報と、遠制開閉器３の出力側の電圧情報とを、また遠制開閉器が開状態であるときには遠制開閉器３の入力側と出力側との電圧情報を遠制子局５に送出するように構成してある。ここでＳＶＲ１の電源側の電圧情報はＳＶＲ１の１次側ＰＴを介して取り込むとともに、遠制開閉器３の入力側及び出力側の電圧情報は両電源トランス６を介して取り込む。
【００２９】
図５は電圧監視用アダプタ１０及びその近傍部分を抽出して詳細に示すブロック図である。同図に示すように、第１の電圧線１１はアース線１２とともにＳＶＲ１の１次側ＰＴに接続するとともにスイッチ１３を介して遠制子局５の制御装置部５ａの端子Ａに接続してある。
【００３０】
第２の電圧線１４はアース線１５とともに両電源トランス６に接続する一方、スイッチ１３を介して遠制子局５の制御装置部５ａの端子Ａに接続してある。また、第３の電圧線１６はアース線１５とともに両電源トランス６に接続する一方、遠制子局５の制御装置部５ａの端子Ｄに直接接続してある。かくして、第２の電圧線１４には遠制開閉器３の入力側の電圧情報を、第２の電圧線１６には遠制開閉器３の出力側の電圧情報がそれぞれ供給するようになっている。
【００３１】
したがって、スイッチ１３が接点１３ａを選択しているときには端子ＡＢ間にＳＶＲ１の電源側の電圧に基づく電圧が、端子ＤＢ間に遠制開閉器３の出力側の電圧に基づく電圧がそれぞれ印加される一方、スイッチ１３が接点１３ｂを選択しているときには端子ＡＢ間に遠制開閉器３の入力側の電圧に基づく電圧が、端子ＤＢ間に遠制開閉器３の出力側の電圧に基づく電圧がそれぞれ印加される。
【００３２】
スイッチ１３は遠制子局５の子局部５ｂに設けた端子ＰＡ，ＰＮ間又は端子ＰＢ，ＰＮ間の導通の有無によりその切換えを制御している。ここで、端子ＰＡ，ＰＮ，ＰＢには遠制開閉器３の状態を監視所４へ伝送するパレット線９が接続してあり、端子ＰＡ，ＰＮ間に導通がある場合にはＰＢ，ＰＮ間に導通はなく、遠制開閉器３が閉状態であり、端子ＰＢ，ＰＮ間に導通がある場合にはＰＡ，ＰＮ間に導通はなく、遠制開閉器３が開状態である。そこで、端子ＰＡ，ＰＮ間に導通がある場合（遠制開閉器３が閉状態の場合）には、制御線１７を介して供給する切換信号により接点１３ａが選択されるように制御するとともに、端子ＰＡ，ＰＮ間に導通がない場合（遠制開閉器３が開状態の場合）には、制御線１７を介して供給する切換信号により接点１３ｂが選択されるように制御するように構成してある。
【００３３】
上述の通り、本形態における監視所４では、遠制開閉器３が閉状態の間、換言すれば遠制開閉器３の入力側と出力側との電位が同じであり、しかもＳＶＲ１を介して負荷に電力が供給されている間は、遠制子局５を介して伝送されてくるＳＶＲ１の電源側及び負荷側の電圧情報を自動的に監視することができる。すなわち、電圧管理上必要な電圧情報を遠方で連続的に監視し得る。
【００３４】
一方、遠制開閉器３が開状態のときは、遠制子局５を介して伝送されてくる遠制開閉器３の入力側及び負荷側の電圧情報を自動的に監視することができる。
【産業上の利用可能性】
【００３５】
本発明は電力の供給乃至電力の供給系統の保守等を行う産業分野で利用することができる。
【図面の簡単な説明】
【００３６】
【図１】本発明の第１の実施の形態に係る自動電圧調整器の電圧監視システムを示すブロック線図である。
【図２】図１の自動電圧調整器の電圧監視システムにおける遠制子局の詳細を示すブロック図である。
【図３】第１の実施の形態に係る配電線路の各位置における電圧及びＳＶＲの電源側と負荷側との電圧の監視態様を従来との対応において示す説明図である。
【図４】本発明の第２の実施の形態に係る自動電圧調整器の電圧監視システムを示すブロック線図である。
【図５】図４の自動電圧調整器の電圧監視システムにおける電圧監視用アダプタの詳細を示すブロック図である。
【符号の説明】
【００３７】
１        ＳＶＲ
２        配電線路
３        遠制開閉器
４        監視所
５        遠制子局
６        両電源トランス
１０        電圧監視用アダプタ
【図１】
2007325437.tif 000003
【図２】
2007325437.tif 000004
【図３】
2007325437.tif 000005
【図４】
2007325437.tif 000006
【図５】
2007325437.tif 000007